(57)【要約】【課題】コインティッシュ用ケースを提供する。【解決手段】コインティッシュを最大限衛生的に保管することができ、携帯が可能であり、使用が便利なコインティッシュ用ケースを提供することがその技術的課題であり、そのために、該コインティッシュ用ケースは、挿入空間と、それに連通される引入出部と、を有する引き出しハウジング；該引入出部を介して、挿入空間にスライディング可能に引き入れ出され、上部開放部を有し、複数のコインティッシュが、１以上の列に載置される引き出し；及び引き出しハウジングの内面と、前記引き出しの外面との間に具備され、引き出しの引き出し距離を第１距離に制限する引き出し距離制限部；を含む。【選択図】図１
2020151452.tif 000002
【特許請求の範囲】
【請求項１】
コインティッシュ用ケースであり、
挿入空間と、それに連通される引入出部と、を有する引き出しハウジングと、
前記引入出部を介して、前記挿入空間にスライディング可能に引き入れ出され、上部開放部を有し、複数のコインティッシュが１以上の列に載置される引き出しと、
前記引き出しハウジングの内面と、前記引き出しの外面との間に具備され、前記引き出しの引き出し距離を第１距離に制限する引き出し距離制限部と、を含むコインティッシュ用ケース。
【請求項２】
前記引き出しは、
前記上部開放部を有し、前記コインティッシュが載置される引き出し本体と、
前記引き出し本体の側面に形成されるが、前記引き出し本体の側面高より相対的に低く形成され、前記コインティッシュの引き出しを案内するティッシュ引き出し案内溝と、を含むことを特徴とする請求項１に記載のコインティッシュ用ケース。
【請求項３】
前記コインティッシュ用ケースは、
前記引き出しハウジングの外面に具備されて水が入れられ、前記引き出しから引き出されたコインティッシュが、前記入れられた水に浸されるように、前記コインティッシュを収容するウェットティシュ生成部と、をさらに含むことを特徴とする請求項１に記載のコインティッシュ用ケース。
【発明の詳細な説明】
【技術分野】
【０００１】
本発明は、コインティッシュに関する。
【背景技術】
【０００２】
一般的に、コインティッシュは、コイン形状に圧縮されていおり、水分が除去された状態にあるティッシュであり、水さえ注げば、一般ウェットティシュのように脹れて大きくなり、飲食店などで多用される。
【０００３】
特に、コインティッシュは、水なしに乾燥されるように圧縮させたために、細菌繁殖の危険性がなく、別途の抗カビ剤や抗酸化剤のような保存剤を使用しなくともよいという長所がある。
【０００４】
既存のコインティッシュは、ビニールやジッパーバッグなどに大量に密封されて提供される。従って、ユーザがコインティッシュを使用するためには、ビニールやジッパーバッグなどからコインティッシュを一つずつ取り出して使用している。
【０００５】
しかし、毎度の使用時に、ビニールやジッパーバッグなどからコインティッシュを取り出す場合、その周辺にあるコインティッシュにも、ユーザの手が触れながら、ビニールやジッパーバッグなどに残されたコインティッシュも、それを介して汚染される問題点がある。窮極的には、毎度の使用時ごとに、ユーザの手を経ることになり、コインティッシュの衛生管理が脆弱になるという問題がある。
【０００６】
また、既存のコインティッシュを使用するためには、別途の器具に水を準備しなければならないので、使用に不都合があるという問題がある。
【発明の概要】
【発明が解決しようとする課題】
【０００７】
本発明の技術的課題は、コインティッシュを最大限衛生的に保管することができ、携帯が可能であり、使用に便利なコインティッシュ用ケースを提供することである。
【０００８】
本発明の他の技術的課題は、水を入れることができるコインティッシュ用ケースを提供することである。
【課題を解決するための手段】
【０００９】
前記目的を達成するために、本発明の実施形態によるコインティッシュ用ケースは、挿入空間と、それに連通される引入出部を有する引き出しハウジング；前記引入出部を介して、前記挿入空間にスライディング可能に引き入れ出され、上部開放部を有し、複数のコインティッシュが１以上の列に載置される引き出し；及び前記引き出しハウジングの内面と前記引き出しの外面との間に具備され、前記引き出しの引き出し距離を第１距離に制限する引き出し距離制限部；を含む。
【００１０】
前記引き出し距離制限部は、前記引き出しハウジングの内面と前記引き出しの外面とのうちいずれか一つに具備される係止爪と、前記引き出しハウジングの内面と前記引き出しの外面とのうち残り一つに具備され、前記係止爪にかかる係止突起と、を含んでもよい。
【００１１】
前記引き出しは、前記上部開放部を有し、前記コインティッシュが載置される引き出し本体と、前記引き出し本体の側面に形成されるが、前記引き出し本体の側面高より相対的に低く形成され、前記コインティッシュの引き出しを案内するティッシュ引き出し案内溝と、を含んでもよい。
【００１２】
前記引き出しハウジングの前記引入出部は、前記引き出しハウジングの前面に開口され、前記引き出しが引き入れ出される間、前記引き出しに載置された前記コインティッシュが円滑に引き入れ出されるように、その大きさが決められ、前記引き出しは、前記引き出し本体の前面に具備され、前記引き出し本体が、前記引き出しハウジングに引き入れられるとき、前記引入出部を閉じる覆い部をさらに含んでもよい。
【００１３】
前述の本発明の実施形態によるコインティッシュ用ケースは、前記引き出しハウジングの外面に具備されて水が入れられ、前記引き出しから引き出されたコインティッシュが、前記入れられた水に浸されるように、前記コインティッシュを収容するウェットティシュ生成部をさらに含んでもよい。
【００１４】
前記１以上の列は、第１列及び第２列を含んでもよく、前記引き出しは、前記複数のコインティッシュのうち一部を、前記第１列に載置させる第１列載置部と、前記複数のコインティッシュのうち残りを、前記第２列に載置させる第２列載置部と、前記第１列載置部と前記第２列載置部との間を区画する中間隔壁と、を含んでもよい。
【００１５】
前記ウェットティシュ生成部は、前記引き出しハウジングの外面に陥没された形態にも具備され、前記第１列載置部及び第２列載置部のうちいずれか一つは、前記陥没された形態のウェットティシュ生成部に干渉されないように、相対的に短く具備され、前記ウェットティシュ生成部が陥没される空間を提供することができる。
【００１６】
前述の本発明の実施形態によるコインティッシュ用ケースは、前記引き出しが引き出される間、前記引き出しハウジングに対して傾かないように、傾き防止部をさらに含んでもよい。
【００１７】
前記傾き防止部は、前記引き出しハウジングの内壁に突出されるが、前記引き出しが引き入れ出される方向に長く具備される案内レールと、前記引き出し本体の側面の上端をなし、前記案内レールの下面にスライディング可能に接触されるレール接触面と、を含んでもよい。
【００１８】
前記第１距離は、前記コインティッシュの厚みでもある。
【００１９】
前記コインティッシュ用ケースを、その前面が下に向くように傾ける場合、前記複数のコインティッシュが共にその前面に移動されるように、前記引き出し本体において、前記複数のコインティッシュが載置される載置面は、滑らかな面からもなる。
【発明の効果】
【００２０】
以上のように、本発明の実施形態によるコインティッシュ用ケースは、次のような効果を有することができる。
【００２１】
本発明の一実施形態によれば、コインティッシュ用ケースであり、引き出しハウジングと、引き出しと、引き出し距離制限部とを含む技術構成を提供するので、複数のコインティッシュが、１以上の列に引き出しに載置され、引き出し距離制限部を介し、引き出しの引き出し距離が第１距離に制限され、引き出しハウジングから引き出しが引き出され、すなわち、複数のコインティッシュをいずれも外部に露出させず、列の最初コインティッシュだけ外部に露出させることができ、本発明のコインティッシュ用ケースに保管されたそれぞれのコインティッシュを、最大限衛生的に維持することができる。
【００２２】
また、本発明の一実施形態によれば、引き出しは、引き出し本体とティッシュ引き出し案内溝とを含む技術構成を提供するので、ユーザが引き出しを引き出し、引き出し距離制限部により、引き出しが第１距離だけ引き出しされた状態で、ユーザが列の最初コインティッシュを横に押せば、コインティッシュが、ティッシュ引き出し案内溝を容易く越えることができ、ユーザが引き出しからコインティッシュを容易に取り出すことができる。
【００２３】
また、本発明の一実施形態によれば、引き出しハウジングの外面に、ウェットティシュ生成部がさらに具備される技術構成を提供するので、ユーザが、ウェットティシュ生成部に水を入れ、引き出しからコインティッシュを取り出し、すぐこの水が入れられたウェットティシュ生成部に入れることができ、別途の容器などの器具がなくとも、押し出されたコインティッシュが、水によって膨脹されながら、すぐにウェットティシュとして使用することができる。
【００２４】
また、本発明の一実施形態によれば、複数のコインティッシュが載置される１以上の列を複数の列にし、多数のコインティッシュを衛生的に保管することができる。
【００２５】
また、本発明の一実施形態によれば、引き出しハウジングと引き出しとの間に、傾き防止部がさらに具備される技術構成を提供するので、引き出しが、引き出しハウジングから引き出される間、引き出しハウジングに対して傾かず、その長手方向を維持し、円滑であって安定して引き出される。
【００２６】
また、本発明の一実施形態によれば、引き出し本体において、複数のコインティッシュが載置される載置面は、滑らかな面からなる技術構成を提供するので、本発明のコインティッシュ用ケースを、その前面が下に向くように傾ける場合、複数のコインティッシュが共にその前面に容易に移動され、引き出しを開ける（すなわち、引き出す）場合列の最初コインティッシュが常時出る準備がなされている。
【図面の簡単な説明】
【００２７】
【図１】本発明の一実施形態によるコインティッシュ用ケースを概略的に示した図面である。
【図２】図１のコインティッシュ用ケースを、ＩＩ−ＩＩ線で切り取った図面である。
【図３】図１のコインティッシュ用ケース内の引き出しを概略的に示した側面図である。
【図４】図１のコインティッシュ用ケースを、ＩＶ−ＩＶ線で切り取った図面である。
【図５】図２のコインティッシュ用ケースを、Ｖ−Ｖ線で切り取った図面である。
【発明を実施するための形態】
【００２８】
以下、添付した図面を参照し、本発明の実施形態について、本発明が属する技術分野において当業者が容易に実施することができるように詳細に説明する。しかし、本発明は、さまざまに異なる形態に具現され、ここで説明する実施形態に限定されるものではない。
【００２９】
図１は、本発明の一実施形態によるコインティッシュ用ケースを概略的に示した図面であり、図２は、図１のコインティッシュ用ケースを、ＩＩ−ＩＩ線で切り取った図面であり、図３は、図１のコインティッシュ用ケース内の引き出しを概略的に示した側面図である。図４は、図１のコインティッシュ用ケースを、ＩＶ−ＩＶ線で切り取った図面であり、図５は、図２のコインティッシュ用ケースを、Ｖ−Ｖ線で切り取った図面である。
【００３０】
本発明の一実施形態によるコインティッシュ用ケース１００は、図１ないし図５に図示されているように、引き出しハウジング１１０と、引き出し１２０と、引き出し距離制限部１３０とを含む。以下、図１ないし図５を続けて参照し、各構成要素について詳細に説明する。
【００３１】
引き出しハウジング１１０は、図１に図示されているように、本発明のコインティッシュ用ケース１００の外装をなす構成要素である。そのような引き出しハウジング１１０は、図１、図２及び図５に図示されているように、引き出し１２０を挿入するための挿入空間１１１と、この挿入空間１１１に連通され、引き出し１２０が引き入れ出される引入出部１１２とを有することができる。
【００３２】
さらに、引き出しハウジング１１０の引入出部１１２は、図１及び図５に図示されているように、引き出しハウジング１１０の前面に開口（opening）されており、引き出し１２０が引き入れ出される間、引き出しに載置されたコインティッシュ１０が、それを介して円滑に引き入れ出されるように、その大きさが決められる。例えば、引入出部１１２は、コインティッシュ１０の直径より大きい高さにも開口される。
【００３３】
引き出し１２０は、図１ないし図５に図示されているように、複数のコインティッシュ１０が実質的に載置されるための構成要素である。そのような引き出し１２０は、図１、図２及び図５に図示されているように、引き出しハウジング１１０の引入出部１１２を介し、引き出しハウジング１１０の挿入空間１１１にスライディング可能に引き入れ出される。さらに、引き出し１２０は、図１、図２及び図４に図示されているように、コインティッシュ１０を収容するように、上部開放部を有することができ、複数のコインティッシュ１０が、１以上の列（図２のＬ２１またはＬ２２を参照）にも載置される。
【００３４】
また、引き出し１２０は、図１ないし図３及び図５に図示されているように、引き出し本体１２１とティッシュ引き出し案内溝１２２とを含んでもよい。引き出し本体１２１は、前述の上部開放部を有することができ、上部開放部を介して収容されるコインティッシュ１０を載置させることができる空間を提供することができる。ティッシュ引き出し案内溝１２２は、引き出し本体１２１の側面に形成されるが、引き出し本体１２１の側面高より相対的に低く形成され、コインティッシュ１０の引き出しを案内することができる。
【００３５】
従って、ユーザが、引き出し１２０を第１距離ほど引き出した状態で、ユーザが列の最初コインティッシュ１０を横に押せば（図２の矢印参照）、コインティッシュ１０がティッシュ引き出し案内溝１２２を容易に越えることができ、ユーザが、引き出し１２０からコインティッシュ１０を容易に取り出すことができる。
【００３６】
さらに、引き出し１２０は、図１及び図５に図示されているように、覆い部１２３をさらに含んでもよい。覆い部１２３は、引き出し本体１２１の前面にも具備され、引き出し本体１２１が、引き出しハウジング１１０に引き入れられるとき、引き出しハウジング１１０の引入出部１１２を緊密に閉じることができる。
【００３７】
また、前述の１以上の列が、第１列及び第２列を含む場合、引き出し１２０は、図１及び図２に図示されているように、第１列載置部Ｌ２１、第２列載置部Ｌ２２及び中間隔壁Ｌ２３を含んでもよい。第１列載置部Ｌ２１は、複数のコインティッシュ１０のうち一部を、第１列の配置に載置させることができ、第２列載置部Ｌ２２は、複数のコインティッシュ１０のうち残りを、第２列の配置に載置させることができる。中間隔壁Ｌ２３は、コインティッシュ１０が横切って越えず、円滑に整列されるように、第１列載置部Ｌ２１と第２列載置部Ｌ２２とを区画することができる。従って、複数のコインティッシュ１０が載置される１以上の列を複数の列にし、多数のコインティッシュ１０を保管することができる。
【００３８】
引き出し距離制限部１３０は、引き出し１２０の引き出し距離を制限するための構成要素である。そのような引き出し距離制限部１３０は、図２に図示されているように、引き出しハウジング１１０の内面と、引き出し１２０の外面との間に具備され、引き出し１２０の引き出し距離を、第１距離に制限することができる。例えば、該第１距離は、コインティッシュ１０の厚みほどに決められる。
【００３９】
従って、複数のコインティッシュ１０が、１以上の列に引き出し１２０に載置された状態で、引き出し距離制限部１３０を介し、引き出し１２０の引き出し距離が、第１距離（例えば、コインティッシュの厚みほど）に制限され、引き出しハウジング１１０から引き出し１２０が引き出され、すなわち、複数のコインティッシュ１０をいずれも外部に露出させず、列の最初コインティッシュだけ外部に露出させることができ、本発明のコインティッシュ用ケース１００に保管されたそれぞれのコインティッシュ１０を、最大限衛生的に維持することができる。
【００４０】
例えば、引き出し距離制限部１３０は、図２に図示されているように、係止爪１３１と係止突起１３２とを含んでもよい。係止爪１３１は、引き出しハウジング１１０の内面に、長溝（long groove）形態にも形成され、係止突起１３２は、係止爪１３１に掛かるように、引き出しの外面にも具備される。ただ、図示されていないが、該係止爪が、引き出しの外面に形成され、該係止突起が、引き出しハウジングの内面に具備されてもよいということは言うまでもない。
【００４１】
併せて、本発明の一実施形態によるコインティッシュ用ケース１００は、図１、図２及び図５に図示されているように、ウェットティシュ生成部１４０をさらに含んでもよい。そのようなウェットティシュ生成部１４０は、引き出しハウジング１１０の外面にも具備される。特に、ウェットティシュ生成部１４０は、図示されていないが、水が入れられるように、容器形状を有することができ、引き出し１２０から引き出されたコインティッシュ１０が、そこに入れられた水に浸されるように、コインティッシュ１０を収容することができる。
【００４２】
従って、ユーザが、ウェットティシュ生成部１４０に水を入れ、引き出し１２０からコインティッシュ１０を取り出し、すぐにこの水が入れられたウェットティシュ生成部１４０に入れることができ、別途の容器などの器具なしにも、押し出されたコインティッシュ１０が水によって膨脹されながら、そのままウェットティシュとして使用される。
【００４３】
さらに、ウェットティシュ生成部１４０は、図１及び図５に図示されているように、引き出しハウジング１１０の外面に陥没された形態にも具備され、第１列載置部Ｌ２１は、図２及び図５に図示されているように、陥没された形態のウェットティシュ生成部１４０に干渉されないように、相対的に短く具備され、ウェットティシュ生成部１４０が陥没される空間を提供することができる。ただ、図示されていないが、第２列載置部を短くし、ウェットティシュ生成部１４０を具備することもできるということは言うまでもない。
【００４４】
それと共に、本発明の一実施形態によるコインティッシュ用ケース１００は、図１、図４及び図５に図示されているように、傾き防止部１５０をさらに含んでもよい。そのような傾き防止部１５０は、引き出し１２０が引き出される間、引き出しハウジング１１０に対して、引き出し１２０を傾かさせない。従って、引き出し１２０が引き出しハウジング１１０から引き出される間、引き出しハウジング１１０に対し、上下揺れなしに、その長手方向を維持し、円滑であって安定して引き出しを可能にする。
【００４５】
例えば、傾き防止部１５０は、図４及び図５に図示されているように、案内レール１５１とレール接触面１５２とを含んでもよい。案内レール１５１は、引き出しハウジング１１０の内壁に突出されるが、引き出し１２０が引き入れ出される方向に長く具備され、レール接触面１５２は、引き出し本体１２１の側面の上端をなし、案内レール１５１の下面にスライディング可能にも接触される。
【００４６】
さらに、図５に図示されているように、引き出し本体１２１において、複数のコインティッシュ１０が載置される載置面Ｌ２０は、滑らかな面からもなる。
【００４７】
従って、本発明のコインティッシュ用ケース１００を、その前面が下に向くように傾ける場合、複数のコインティッシュ１０が共にその前面に容易に移動され、引き出し１２０を開ける（すなわち、引き出す）場合、列の最初コインティッシュが常時出る準備がなされている。
【００４８】
また、図４に図示されているように、引き出し本体１２１において、コインティッシュ１０が載置される載置面Ｌ２０は、円孤状の断面を有することができる。従って、コインティッシュ１０が、引き出し本体１２１の内部に散らばることを防止することができ、良好に滑って傾き、取り出しが容易である。
【００４９】
以上、本発明の望ましい実施形態について詳細に説明したが、本発明の権利範囲は、それらに限定されるものではなく、特許請求の範囲で定義している本発明の基本概念を利用した当業者のさまざまな変形及び改良形態も、本発明の権利範囲に属するものである。
【産業上の利用可能性】
【００５０】
本発明の、コインティッシュ用ケースは、例えば、衛生管理関連の技術分野に効果的に適用可能である。
【符号の説明】
【００５１】
１０    コインティッシュ
１００    コインティッシュ用ケース
１１０    引き出しハウジング
１１１    挿入空間
１１２    引入出部
１２０    引き出し
１２１    引き出し本体
１２２    ティッシュ引き出し案内溝
１２３    覆い部
１３０    引き出し距離制限部
１３１    係止爪
１３２    係止突起
１４０    ウェットティシュ生成部
１５０    傾き防止部
１５１    案内レール
１５２    レール接触面
Ｌ２０    載置面
Ｌ２１    第１列載置部
Ｌ２２    第２列載置部
Ｌ２３    中間隔壁
【図１】
2020151452.tif 000003
【図２】
2020151452.tif 000004
【図３】
2020151452.tif 000005
【図４】
2020151452.tif 000006
【図５】
2020151452.tif 000007